(57)【要約】【課題】映像ソースの種類等にかかわらず、見る者にとって見易い映像を生成することのできる映像信号処理装置、表示装置、及び、映像信号処理方法を提供する。【解決手段】フレーム構成画素を所定方向に平滑化するローパスフィルタ５１０と、ローパスフィルタ５１０により平滑化された構成画素を所定方向に圧縮する圧縮処理部５２０を映像ソース毎に備え、圧縮処理部５２０で圧縮された各映像信号を、異なる視方向に異なる映像ソースに対応した映像を同一画面に表示可能な表示部７に出力する映像信号処理装置５００であって、ローパスフィルタ５１０により平滑化された構成画素を所定方向に映像ソースに対応した特性で高域強調処理する高域成分強調フィルタ５３０を映像ソース毎に備え、高域成分強調フィルタ５３０により高域強調処理された構成画素を圧縮処理部５２０で圧縮する。【選択図】図１２
2009204862.tif 000002
【特許請求の範囲】
【請求項１】
フレーム構成画素を所定方向に平滑化するローパスフィルタと、前記ローパスフィルタにより平滑化された構成画素を前記所定方向に圧縮する圧縮処理部を映像ソース毎に備え、前記圧縮処理部で圧縮された各映像信号を、異なる視方向に異なる映像ソースに対応した映像を同一画面に表示可能な表示部に出力する映像信号処理装置であって、
前記ローパスフィルタにより平滑化された構成画素を前記所定方向に前記映像ソースに対応した特性で高域強調処理する高域成分強調フィルタを映像ソース毎に備え、前記高域成分強調フィルタにより高域強調処理された構成画素を前記圧縮処理部で圧縮することを特徴とする映像信号処理装置。
【請求項２】
前記ローパスフィルタ及び前記高域成分強調フィルタが複数のフィルタ係数で規定されるデジタルフィルタで構成され、前記フィルタ係数を前記映像ソースに対応して可変に設定するフィルタ特性設定部を備えていることを特徴とする請求項１記載の映像信号処理装置。
【請求項３】
前記フィルタ特性設定部は、前記映像ソースの構成画素と前記ローパスフィルタを介していないフレーム構成画素を所定方向に圧縮する第二圧縮処理部で圧縮された構成画素の周波数特性を差分演算してフレーム単位の差分周波数特性を求める周波数特性算出部と、複数組のローパスフィルタ及び高域成分強調フィルタを規定するフィルタ係数及び当該フィルタ係数に対応した周波数特性を記憶するフィルタ特性記憶部と、前記差分周波数特性と前記フィルタ係数に対応した周波数特性を比較する特性比較部を備え、前記特性比較部による比較結果に基づいて前記フィルタ係数を設定することを特徴とする請求項２記載の映像信号処理装置。
【請求項４】
前記特性比較部は前記差分周波数特性と逆特性を示す逆差分周波数特性と、各フィルタ係数に対応した周波数特性との周波数毎の差分の総和を算出し、前記フィルタ特性設定部は前記特性比較部で算出された周波数毎の差分の総和が最も小さくなるフィルタ係数を、前記ローパスフィルタ及び前記高域成分強調フィルタのフィルタ係数に設定することを特徴とする請求項３記載の映像信号処理装置。
【請求項５】
前記特性比較部は前記差分周波数特性と逆特性を示す逆差分周波数特性と、各フィルタ係数に対応した周波数特性との周波数毎の差分を算出し、当該差分を映像ソースに関連付けた所定帯域で所定の重み係数で重み付けした後にその総和を算出し、前記フィルタ特性設定部は前記特性比較部で算出された周波数毎の差分の総和が最も小さくなるフィルタ係数を、前記ローパスフィルタ及び前記高域成分強調フィルタのフィルタ係数に設定することを特徴とする請求項３記載の映像信号処理装置。
【請求項６】
前記フィルタ特性設定部は、前記映像ソースの構成画素と前記ローパスフィルタを介していないフレーム構成画素を所定方向に圧縮する第二圧縮処理部で圧縮された構成画素の周波数特性を差分演算してフレーム単位の差分周波数特性を求める周波数特性算出部と、複数の基準映像ソースに対応した複数組のローパスフィルタ及び高域成分強調フィルタを規定するフィルタ係数及び当該フィルタ係数に対応した周波数特性を記憶するフィルタ特性記憶部と、前記差分周波数特性と前記フィルタ係数に対応した周波数特性を比較する特性比較部を備え、前記特性比較部による比較結果に基づいて前記フィルタ係数を設定することを特徴とする請求項２記載の映像信号処理装置。
【請求項７】
前記特性比較部は前記差分周波数特性と逆特性を示す逆差分周波数特性と、各フィルタ係数に対応した周波数特性との周波数毎の差分の総和を算出し、前記フィルタ特性設定部は前記特性比較部で算出された周波数毎の差分の総和が所定の閾値より小さくなるフィルタ係数を、前記ローパスフィルタ及び前記高域成分強調フィルタのフィルタ係数に設定することを特徴とする請求項６記載の映像信号処理装置。
【請求項８】
前記特性比較部は前記差分周波数特性と逆特性を示す逆差分周波数特性と、各フィルタ係数に対応した周波数特性との周波数毎の差分を算出し、当該差分を映像ソースに関連付けた所定帯域で所定の重み係数で重み付けした後にその総和を算出し、前記フィルタ特性設定部は前記特性比較部で算出された周波数毎の差分の総和が所定の閾値より小さくなるフィルタ係数を、前記ローパスフィルタ及び前記高域成分強調フィルタのフィルタ係数に設定することを特徴とする請求項６記載の映像信号処理装置。
【請求項９】
請求項１から８の何れかに記載した映像信号処理装置と、当該映像信号処理装置により駆動される表示部を備えたことを特徴とする表示装置。
【請求項１０】
フレーム構成画素を所定方向に平滑化するローパスフィルタ処理と、前記ローパスフィルタ処理により平滑化された構成画素を前記所定方向に圧縮する圧縮処理を映像ソース毎に実行し、前記圧縮処理で圧縮された各映像信号を、異なる視方向に異なる映像ソースに対応した映像を同一画面に表示可能な表示部に出力する映像信号処理方法であって、
前記ローパスフィルタ処理により平滑化された構成画素を前記所定方向に前記映像ソースに対応した特性で高域強調処理する高域成分強調フィルタ処理を映像ソース毎に実行し、前記高域成分強調フィルタ処理により高域強調処理された構成画素を前記圧縮処理で圧縮することを特徴とする映像信号処理方法。
【請求項１１】
前記ローパスフィルタ処理及び前記高域成分強調フィルタ処理が複数のフィルタ係数で規定されるデジタルフィルタで実行され、前記フィルタ係数を前記映像ソースに対応して可変に設定するフィルタ特性設定処理を備えていることを特徴とする請求項１０記載の映像信号処理方法。
【発明の詳細な説明】
【技術分野】
【０００１】
本発明は、映像信号処理装置、表示装置、及び映像信号処理方法に関する。
【背景技術】
【０００２】
近年、一台の液晶ディスプレイで二画面以上を同時に表示することができる表示装置、例えば、運転席と助手席とから夫々異なる画面を見ることができるマルチビュー表示装置が開示されている。
【０００３】
このようなマルチビュー表示装置では、ソース信号を構成する１フレームの元画素データから所定方向に圧縮または抽出処理した映像画素データを生成し、生成された前記映像画素データで構成される映像信号に基づいて当該画素群を駆動する必要がある。
【０００４】
例えば、車載用のＴＦＴ液晶表示装置は、画素が８００×４８０ドットに構成されたものが主流であるが、このような表示装置の構成をベースとするマルチビュー表示装置では、少なくとも８００×４８０ドットに対応する元画素データから４００×４８０ドットに水平方向に圧縮または抽出処理して映像画素データを生成する必要がある。
【０００５】
しかし、ソース信号を構成する元画素データを圧縮率に基づいて単に所定方向に間引き処理して映像画素データを生成するような圧縮処理方法では、間引き処理された元画像の情報が欠落する結果、画像情報の高域成分が欠落するのみならず画素データの連続性も失われるため、そのような映像信号に基づいて表示された映像は見辛いものになる虞があった。
【０００６】
そこで、本発明の出願者は、特許文献１に開示されているような、マルチビュー表示装置に表示される複数の画素群を駆動する映像信号処理装置を提案した。
【０００７】
該映像信号処理装置は、ソース信号を構成する１フレームの元画素データから所定方向に圧縮または抽出処理した映像画素データを生成する際に、ソース信号を構成する元画素データをその隣接元画素データとの間で所定のフィルタ演算を施して平滑化処理して新たな画素データを生成する平滑化処理手段と、平滑化処理された画素データから圧縮率に基づいた数の画素データを前記映像画素データとして抽出する抽出処理手段とを備えることで、ソース信号から映像信号を生成する際に、高域成分の欠落を防ぐとともに、画素データの連続性を確保できた。
【０００８】
しかし、特許文献１に開示された映像信号処理装置では、高域成分の欠落を防止できるが、元画素データを平滑化処理するので、抽出された映像画素データによりマルチビュー表示装置に表示される映像がぼやけた映像となってしまう、つまり鮮鋭度の点で劣化した映像となってしまう虞があった。
【０００９】
このような問題を解決するための手段を備えた装置として、特許文献２には、画像信号を平均化する手段の後段に、当該画像信号をより鮮明に仕上げることを目的とした高域成分強調フィルタを備えた画像信号処理装置が開示されている。
【特許文献１】特開２００６−１５４７５６号公報
【特許文献２】特開２０００−２２４４６０号公報
【発明の開示】
【発明が解決しようとする課題】
【００１０】
ところで、最近の車両等には、ナビゲーション装置等を介して様々な映像ソース信号が入力されている。また、マルチビュー表示装置では、例えば、運転席と助手席とで異なる映像ソースの信号が表示される場合もある。
【００１１】
例えば、マルチビュー表示装置を備えた車両の運転中、運転席の運転者はナビゲーション装置の地図情報を参照する一方、助手席の同乗者はＤＶＤソフト、例えば映画等の映像情報を参照することが多い。そして、地図情報は、映像の滑らかな動きよりも表示情報を的確に識別するために鮮鋭度の高い映像であることが要求されるが、映画等の映像情報で鮮鋭度が高い場合、映像がぎらついてしまう虞がある。
【００１２】
つまり、表示装置への出力映像を最適な映像とするための要求が映像ソースの種類等によって異なるので、全ての映像ソースから入力された映像信号を、同じ高域成分強調フィルタを介して表示装置に表示させても、映像ソースの種類等によっては表示装置に表示された映像が見る者にとって返って見辛い映像となる虞があるのである。
【００１３】
本発明の目的は、上述の問題点に鑑み、映像ソースの種類等にかかわらず、見る者にとって見易い映像を生成することのできる映像信号処理装置、表示装置、及び、映像信号処理方法を提供する点にある。
【課題を解決するための手段】
【００１４】
上述の目的を達成するため、本発明による映像信号処理装置の特徴構成は、フレーム構成画素を所定方向に平滑化するローパスフィルタと、前記ローパスフィルタにより平滑化された構成画素を前記所定方向に圧縮する圧縮処理部を映像ソース毎に備え、前記圧縮処理部で圧縮された各映像信号を、異なる視方向に異なる映像ソースに対応した映像を同一画面に表示可能な表示部に出力する映像信号処理装置であって、前記ローパスフィルタにより平滑化された構成画素を前記所定方向に前記映像ソースに対応した特性で高域強調処理する高域成分強調フィルタを映像ソース毎に備え、前記高域成分強調フィルタにより高域強調処理された構成画素を前記圧縮処理部で圧縮する点にある。
【００１５】
上述の構成によれば、映像信号処理装置は、各映像ソースに対応した特性で高域強調処理する高域成分強調フィルタを映像ソース毎に備えているので、映像信号処理装置は、各映像ソースからの信号を、見る者にとって見易い映像が表示部に表示される特性で高域強調処理する高域成分強調フィルタを介して表示部に出力する。
【発明の効果】
【００１６】
以上説明した通り、本発明によれば、映像ソースの種類等にかかわらず、見る者にとって見易い映像を生成することのできる映像信号処理装置を提供することができるようになった。
【発明を実施するための最良の形態】
【００１７】
以下に本発明による映像信号処理装置について説明する。図１は、映像信号処理装置と、当該映像信号処理装置により駆動される表示部７を備えた表示装置の概念図である。
【００１８】
図中、１は第１の映像ソース、２は第２の映像ソース、３は第１の映像ソースからの第１の画像データ、４は第２の映像ソースからの第２の画像データ、５は表示制御部、６は表示データ、７は表示部（例えば液晶パネル等）、８は第１の映像ソース１に基づく第１の表示画像、９は第２の映像ソース２に基づく第２の表示画像、１０は表示部７に対して左側に位置する観察者（利用者）、１１は表示部７に対して右側に位置する観察者（利用者）である。
【００１９】
図1の概念図は、表示部７に対する観察者１０、１１の相対的位置に応じて、換言すれば表示部７に対する視野角に応じて、観察者１０は第１の表示画像８を、観察者１１は第２の表示画像９を実質的に同時に見ることができ、しかも各々の表示画像８、９は表示部７の表示面全体に渡ってみることができることを概念的に示すものである。図１において、第１の映像ソース１は例えばＤＶＤプレーヤの映画画像やテレビ受信機の受信画像等、第２の映像ソース２は例えばカーナビゲーション装置の地図やルート案内画像等であり、それぞれの第１の映像データ３及び第２の映像データ４は表示制御部５に供給され、それらが表示部７で実質的に同時に表示できるように処理される。
【００２０】
表示制御部５から表示データ６が供給される表示部７は、後述する視差バリアを備えた液晶パネル等で構成される。表示部７の横方向の総画素の半数が第１の映像ソース１に基づく第１の表示画像８の表示に、残りの半数の画素が第２の映像ソース２に基づく第２の表示画像９の表示に使用される。表示部７に対して左側に位置する観察者１０には、第１の表示画像８に対応する画素のみが見え、第２の表示画像９は表示部７の表面に形成されている視差バリアによって遮られて実質的に見えない。一方、表示部７に対して右側に位置する観察者１１には、第２の表示画像９に対応する画素のみが見え、第１の表示画像８は視差バリアにより遮られて実質的に見えない。尚、視差バリアについては、例えば、特開平１０−１２３４６１号公報、特開平１１−８４１３１号公報に開示された構成を応用できる。
【００２１】
このような構成により、単一の画面で左右の利用者に異なる情報やコンテンツを提供することができる。もちろん、第１、第２の映像ソースが同じであれば、従来通り左右の利用者が同じ画像を見ることもできる。
【００２２】
図２は、本発明に係る表示装置の車両への搭載例を示す斜視図である。図中、１２は助手席、１３は運転席、１４はウインドシールド、１５は操作部、１６はスピーカである。
【００２３】
図１の表示装置の表示部７は、例えば図２に示すように、運転席１３と助手席１２とのほぼ中央のダッシュボード部分に配置される。表示装置に対する各種操作は、表示部７の表面に一体的に形成したタッチパネル（図示せず）や操作部１５、または、赤外線や無線リモートコントローラ（図示せず）の操作によって行われる。車両の各ドアにはスピーカ１６が配置され、表示画像に連動した音声や警告音等が出力される。
【００２４】
運転席１３に図１の観察者１１が、助手席１２には観察者１０が座る。表示部７に対する第１視方向（運転席側）から見ることができる画像は例えばカーナビゲーション装置の地図等の画像であり、実質的に同時に第２視方向（助手席側）から見ることができる画像は例えばテレビ受信画像やＤＶＤムービー画像である。従って、運転席１３の運転者がカーナビゲーションによる運転支援を受けるのと同時に助手席１２の同乗者はテレビやＤＶＤを楽しむことができる。しかもそれぞれの画像は例えば７インチの画面全体を使用して表示されるため、従来のマルチウインドウ表示のように画面サイズが小さくなることもない。つまり、運転者、同乗者にとっては、あたかも各々に独立した専用のディスプレイがあるかの如く、それぞれに最適な情報やコンテンツが提供されるのである。
【００２５】
図３は、表示部７の断面構造の概略図である。図中、１００は液晶パネル、１０１はバックライト、１０２は液晶パネルのバックライト側に設置された偏光板、１０３は液晶パネルの発光方向側の前面に配置された偏光板、１０４はＴＦＴ(Thin Film Transistor)基板、１０５は液晶層、１０６はカラーフィルタ基板、１０７はガラス基板、１０８は視差バリアである。液晶パネル１００は、ＴＦＴ基板１０４とそれに対向して配置されるカラーフィルタ基板１０６の間に液晶層１０５を挟持した一対の基板と、その発光方向側の前面に配置された視差バリア１０８とガラス基板１０７とを、２枚の偏光板１０２、１０３の間に挟んだ構成となっており、バックライト１０１からやや離隔して配設される。また、液晶パネル１００は、ＲＧＢ色（三原色）で構成される画素を有する。
【００２６】
液晶パネル１００の各画素は、左側（助手席側）表示用と、右側（運転席側）表示用に分けられて表示制御される。そして、左側（助手席側）表示用画素は、視差バリア１０８により右側（運転席側）への表示は遮断され、左側（助手席側）からは見えるようになっている。また、右側（運転席側）表示用画素は、視差バリア１０８により左側（助手席側）への表示が遮断され、右側（運転席側）からは見えるようになっている。これによって、運転者と同乗者に異なった表示を提供することが可能となる。つまり、運転者にはナビゲーションの地図情報を与え、同時に同乗者にはＤＶＤの映画等を見せることが可能となる。なお、視差バリア１０８、液晶パネル１００の各画素の構成を変更すれば、３方向等、複数方向に異なった画像を表示する構成も可能である。また、視差バリア自体を電気的に駆動可能な液晶シャッタ等で構成して視野角を可変するようにしてもよい。
【００２７】
図４は、表示パネルを正面から見た構造の概略図であり、図３は図４中のＡ−Ａ′断面である。図中、１０９は左側（助手席側）表示用の画素、１１０は右側（運転席側）表示用の画素である。図３及び図４は、例えば横方向に８００画素、縦方向に４８０画素並べられた液晶パネル１００の一部を表す。左側（助手席側）表示用の画素１０９と右側（運転席側）表示用の画素１１０は縦方向にグループ化され、交互に並んでいる。視差バリア１０８は、横方向にある間隔で配置され、縦方向には一様である。これによって、左側から表示パネルを見ると、視差バリア１０８が右側用画素１１０を覆い隠して、左側用画素１０９が見える。また同様に右側から見ると、視差バリア１０８が左側用画素１０９を覆い隠して、右側用画素１１０が見える。さらに正面付近では、左側用画素１０９と右側用画素１１０の両方が見えるため、左側表示画像と右側表示画像とが実質的に重なって見える。ここで、図４中の交互に並んだ左側用画素１０９及び右側用画素１１０は、図３のようにＲＧＢ色を有しているが、各グループ縦方向内は、Ｒ列、Ｇ列、Ｂ列のように単色で構成されていてもよいし、ＲＧＢが複数混じった列として構成されていてもよい。
【００２８】
具体的には、例えば、表示部７において、右側（運転席側）と左側（助手席側）の２方向に異なる映像を表示させるためには、夫々の映像に対応するソース信号を構成する８００×４８０の画素を４００×４８０の画素に圧縮することで、表示部７の画素数である８００×４８０に対応した映像信号にするように構成できる。このとき、図５に示すように、運転席側のソース信号については本来映像を表示すべきソース信号のうち奇数列のソース信号を間引き、また、助手席側のソース信号については偶数列のソース信号を間引く構成を採用できる。ただし、間引き方はこれに限定するものではなく、１画素を構成するＲ，Ｇ，Ｂの各要素単位に奇数列、偶数列で間引き処理してもよい。間引き処理により圧縮された夫々の映像ソースを列が交互になるように合成処理して最終の映像ソースが生成される。
【００２９】
このようにして表示部７に表示された映像を右側（運転席側）または左側（助手席側）から眺めると、間引き処理によって元画像の画像情報の高域成分が欠落し、画素データの連続性も失われているので、そのような映像信号に基づいて表示された映像はかなり見辛いものになる。
【００３０】
そこで、本発明では、制御部（図７に符号２００で示される。）によって、映像ソースからの間引き処理前の画像を所定方向に平滑化し、その後、所定方向に圧縮する処理、つまり映像ソースの間引き処理が行なわれるように構成されている。ここで、平滑化処理は、圧縮処理による画素データの抽出を考慮して、任意の元画素データ及び少なくともその隣接元画素データに基づいてフィルタ演算等を施すことによって新たな画素データを変換生成するように構成されている。よって、平滑化処理後の各画素データは隣接画素データの成分が加味された値として生成され、画質の劣化の程度が改善される。
【００３１】
図６はＴＦＴ基板１０４の概略を示す回路図である。１１１は表示パネル駆動部、１１２は走査線駆動回路、１１３はデータ線駆動回路、１１４はＴＦＴ素子、１１５〜１１８はデータ線、１１９〜１２１は走査線、１２２は画素電極、１２３はサブピクセルである。
【００３２】
図６に示すように、サブピクセル１２３は各データ線１１５〜１１８及び各走査線１１９〜１２１によって囲まれた領域を一単位とし、複数形成される。各サブピクセルには、液晶層１０５に電圧を印加する画素電極１２２とそれをスイッチング制御するＴＦＴ素子１１４が形成されている。表示パネル駆動部１１１は走査線駆動回路１１２及びデータ線駆動回路１１３の駆動タイミングを制御する。走査線駆動回路１１２はＴＦＴ素子１１４の選択走査を行い、またデータ線駆動回路１１３は画素電極１２２への印加電圧を制御する。
【００３３】
複数のサブピクセルは、第１の画像データと第２の画像データの合成データもしくは、第１と第２の個々の画像データに基づいて、例えばデータ線１１５と１１７に第１の画素データ（左側画像表示用）を、またデータ線１１６と１１８に第２の画素データ（右側画像表示用）を送信することよって、第１の画像を表示する第１の画像データ群と第２の画像を表示する第２の画像データ群が形成される。
【００３４】
図７は、本発明に係る表示装置の概要を示すブロック図であり、いわゆるAudio Visual Navigation 複合機への適用例である。図中、１２４はタッチパネル、２００は制御部、２０１はＣＤ／ＭＤ再生部、２０２はラジオ受信部、２０３はＴＶ受信部、２０４はＤＶＤ再生部、２０５はＨＤ（Hard Disk）再生部、２０６はナビゲーション部、２０７は分配回路、２０８は第１の画像調整回路、２０９は第２の画像調整回路、２１０は音声調整回路、２１１は画像出力部、２１２はＶＩＣＳ情報受信部、２１３はＧＰＳ情報受信部、２１４はセレクタ、１５は操作部、２１６はリモコン送受信部、２１７はリモコン、２１８はメモリ、２１９は外部音声／映像入力部、２２０はカメラ、２２１は明るさ検知部、２２２は乗員検知部、２２３はリア表示部、２２４はＥＴＣ車載器、２２５は通信ユニットである。
【００３５】
表示部７は、タッチパネル１２４、液晶パネル１００、及びバックライト１０１から構成される。表示部７の液晶パネル１００は、これまでに述べてきたように、第１視方向として運転席側から見られる画像と、第２視方向として助手席側から見られる画像とを、実質的に同時に表示することが可能となっている。尚、表示部７には、液晶パネル以外のフラットパネルディスレイ、例えば有機ＥＬディスプレイパネル、プラズマディスプレイパネル、冷陰極フラットパネルディスプレイ等を用いることもできる。
【００３６】
制御部２００は、各種ソース（ＣＤ／ＭＤ再生部２０１、ラジオ受信部２０２、ＴＶ受信部２０３、ＤＶＤ再生部２０４、ＨＤ再生部２０５及びナビゲーション部２０６）からの画像や音声を、制御部２００からの指示に基づき左用に指定された映像ソースを第１の画像調整回路２０８に、右用に指定されたソースを第２の画像調整回路２０９に分配させる分配回路２０７を介して、画像であれば第１の画像調整回路２０８及び第２の画像調整回路２０９に、音声であれば音声調整回路２１０にそれぞれ分配する。そして、第１及び第２の画像調整回路２０８、２０９では、輝度や色調、コントラストなどが調整され、調整された各画像を画像出力部２１１にて、表示部７に表示させる。また音声調整回路２１０では各スピーカへの分配や音量、音声が調整され、調整された音声が、スピーカ１６から出力される。
【００３７】
また、制御部２００は、第一の画像調整回路２０８、第二の画像調整回路２０９、及び画像出力部２１１を制御して、上述した平滑化処理及び圧縮処理を実行させる。そして、制御部２００が、第一の画像調整回路２０８、第二の画像調整回路２０９、及び画像出力部２１１を制御して、上述した平滑化処理及び圧縮処理を実行させることで、本発明による映像信号処理装置の機能が実現される。
【００３８】
つまり、映像信号処理装置の各機能ブロックは、第一の画像調整回路２０８、第二の画像調整回路２０９、及び画像出力部２１１の何れかに備えられており、映像信号処理装置は、フレーム構成画素を所定方向に平滑化するローパスフィルタと、ローパスフィルタにより平滑化された構成画素を所定方向に圧縮する圧縮処理部を映像ソース毎に備え、圧縮処理部で圧縮された各映像信号を、異なる視方向に異なる映像ソースに対応した映像を同一画面に表示可能な表示部７に出力するように構成されている。尚、映像信号処理装置については、後述する。
【００３９】
図８は画像出力部２１１の概略を示すブロック図である。図中、２２６は第一の書込回路、２２７は第二の書込回路、２２８はＶＲＡＭ（Video RAM）である。
【００４０】
画像出力部２１１は、例えば図８に示すように、第１の書込回路２２６と第２の書込回路２２７とＶＲＡＭ（Video RAM）２２８と表示パネル駆動部１１１とを備えている。例えば、第１の書込回路２２６は、第１の画像調整回路２０８で調整された画像データのうち奇数列に対応する画像データ（即ち、図１の第１の表示画像８用の画像データ）を、第２の書込回路２２７は、第２の画像調整回路２０９で調整された画像データのうち偶数列に対応する画像データ（即ち、図１の第２の表示画像９用の画像データ）をもとにし、それぞれＶＲＡＭ２２８における該当する領域に書き込む。また表示パネル駆動部１１１は液晶パネル１００を駆動する回路であり、ＶＲＡＭ２２８に保持されている画像データ（第１の画像データと第２の画像データの合成データ）に基づいて、液晶表示パネル１００の対応する画素を駆動する。尚、ＶＲＡＭ２２８には第１の画像データと第２の画像データの合成されたマルチビュー表示用の画像に対応するように画像データの書き込みが行われているので、駆動回路は１つでよく、その動作も通常の液晶表示装置の駆動回路の動作と同じである。また別の構成として、第１の画像データと第２の画像データを合成せずに、それぞれの画像データに基づいて、液晶表示パネルの対応する画素を駆動する第１の表示パネル駆動回路及び第２の表示パネル駆動回路を用いることも考えられる。
【００４１】
ここで、図７で示した各種ソースの一例について説明をすると、ＨＤ再生部２０５を選択した場合、ハードディスク（ＨＤ）に記憶されたＭＰ３ファイル等の音楽データやＪＰＥＧファイル等の画像データ、ナビゲーション用の地図データ等が読み出され、音楽データを選択するためのメニュー表示や画像データを表示部７に表示させることができる。
【００４２】
ナビゲーション部２０６は、ナビゲーションの為に利用される地図情報を記憶した地図情報記憶部を備え、ＶＩＣＳ情報受信部２１２、自車の位置情報を認識するＧＰＳ情報受信部２１３から情報を入手し、ナビゲーション動作の為の画像を作成し、表示させることができる。またＴＶ受信部２０３は、アンテナからセレクタ２１４を介して、アナログＴＶ放送波及びデジタルＴＶ放送波を受信する。
【００４３】
図９は制御部２００の概略を示すブロック図である。図中、２２９はインターフェース、２３０はＣＰＵ、２３１はプログラム記憶部、２３２はデータ記憶部である。
【００４４】
尚、制御部２００は分配回路２０７並びに各種ソースを制御し、選択された２つのソースもしくは１つのソースについて表示を行わせる。また制御部２００は、これら各種ソースをコントロールするための操作メニュー表示を表示部７に表示させることも行っている。ここで、図９で示すように、制御部２００はマイクロプロセッサなどで構成され、インターフェース２２９を介して、表示装置内の各部や各回路を統括的に制御しているＣＰＵ２３０を備えている。このＣＰＵ２３０には、表示装置の動作に必要な各種のプログラムを保持するＲＯＭからなるプログラム記憶部２３１と、各種のデータを保持するＲＡＭからなるデータ記憶部２３２とが設けられている。なお、ＲＯＭやＲＡＭ等は、ＣＰＵに内蔵されたものでも、外部に設けたものでも使用することが可能である。又、ＲＯＭはフラッシュメモリの様に電気的に書き換え可能な不揮発性メモリでもよい。
【００４５】
ユーザは、上記各種ソースのコントロールを、表示部７の表面に取り付けられているタッチパネル１２４、表示部７の周囲に設けられた操作部１５、または音声認識等の入力操作や選択操作によって行うことができる。またリモコン送受信部２１６を介して、リモコン２１７により入力もしくは選択操作をしてもよい。制御部２００は、このタッチパネル１２４や操作部１５の操作に従って、各種ソースを含めた制御を行っている。また、制御部２００は、図２のように車両内に複数備え付けられたスピーカ１６の各音量等を、音声調整回路２１０を用いて制御することができるように構成されている。また制御部２００は、メモリ２１８に画質設定情報やプログラム、車両情報等の各種設定情報を記憶させることも行っている。尚、メモリ２１８は、上述したプログラム記憶部２３１やデータ記憶部２３２で代用する構成であってもよい。
【００４６】
図１０はメモリ２１８の概略を示すブロック図である。図中、２３３は第１の画面ＲＡＭ、２３４は第２の画面ＲＡＭ、２３５は画質設定情報記憶部、２３６は対環境調整値保持部である。
【００４７】
メモリ２１８は、例えば図１０に示すように、使用者が設定した第１の画像および第２の画像の画質の調整値がそれぞれ書き込み可能な第１の画面ＲＡＭ２３３および第２の画面ＲＡＭ２３４を有する。また、第１の画像及び第２の画像の画質を調整する場合に、読み出すことができるプリセット値として各画質調整用に予め複数段階の画質調整値が記憶されている画質設定情報記憶部２３５を有する。さらに、車外の明るさ変化等の周囲環境変化に応じた画質を調整するために、周囲環境に対する第１の映像及び第２の映像の画質の調整値を保持する対環境調整値保持部２３６を有する。ここで画質設定情報記憶部２３５及び対環境調整値保持部２３６は、フラッシュメモリ等の電気的書き換え可能な不揮発性メモリ又はバッテリバックアップされた揮発性メモリにより構成される。
【００４８】
外部音声／画像入力部２１９に接続された、例えば後方監視用のカメラ２２０からの画像を表示部７に表示するようにしてもよい。なお、後方監視用カメラ２２０以外に、ビデオカメラ及びゲーム機等を外部音声／画像入力部２１９に接続してもよい。
【００４９】
制御部２００は、明るさ検知手段２２１（例えば、車両のライトスイッチや光センサ）や乗員検知手段２２２（例えば、運転席や助手席に設けられる感圧センサ）により検知された情報を元に、音声の定位位置等の設定を変更させることが可能である。
【００５０】
２２３は車両の後席用に設けられたリア表示部であり、画像出力部２１１を介して、表示部７に表示される画像と同じもの、もしくは運転席用の画像か助手席用の画像の一方が表示可能である。
【００５１】
制御部２００は、ＥＴＣ車載器２２４からの料金表示等を表示させることを行っている。また制御部２００は、携帯電話などと無線接続するための通信ユニット２２５を制御し、これに関する表示がされるようにしてもよい。
【００５２】
以下に、映像信号処理装置について説明する。表示装置は、図１１に示すように、上述のＶＩＣＳ情報受信部２１２とＧＰＳ情報受信部２１３とナビゲーション部２０６とを備え、車両を目的地に誘導するナビゲーション装置Ｎと、地上波デジタル放送等を受信するラジオ受信部２０２及びＴＶ受信部２０３としての電波受信装置３０２と、ＣＤ／ＭＤ再生部２０１、ＤＶＤ再生部２０４、及びＨＤ再生部２０５としての再生部３３０と、各種ソースからの画像を複数系統（本実施形態では二系統とする。）に分配させる分配回路２０７と、ナビゲーション装置Ｎ、電波受信装置３０２、または再生部３３０の何れか二系統の映像ソース信号による表示画像を同時に表示可能な表示部７と、表示部７を表示制御する映像信号処理装置５００等が車両に搭載されている。即ち、表示装置は、映像信号処理装置５００と、当該映像信号処理装置５００により駆動される表示部７を備えて構成されている。
【００５３】
ナビゲーション装置Ｎは、道路地図データを記憶した地図情報記憶部３０５と、ＶＩＣＳ情報受信部２１２及びＧＰＳ情報受信部２１３で構成される情報受信部３０６と、情報受信部３０６が受け取る情報を受信するアンテナ３０６ａと、自車の走行状態を管理する自律航法手段３０７と、地図データに基づいて指定された目的地までの経路を探索する経路探索手段３０８と、地図上に自車の走行位置を表示する走行状態表示処理手段３０９と、各種の動作モードや動作条件を設定する操作部１５等を備えて構成され、単一または複数のＣＰＵとその動作プログラムが格納されたＲＯＭ及びワーキングエリアに使用されるＲＡＭを備えて各ブロックが制御されるように構成され、指定された地点に自車を誘導するナビゲーション機能を有している。つまり、上述したナビゲーション部２０６は、自律航法手段３０７、経路探索手段３０８、及び走行状態表示処理手段３０９等を備えて構成されている。
【００５４】
電波受信装置３０２は、受信アンテナ３２０と、受信アンテナ３２０を介して受信された伝送チャンネル（周波数帯域）を選局するチューナ３２１と、選局された受信信号からデジタル信号を取り出して誤り訂正処理を行ないＴＳ（トランスポートストリーム）パケットを出力する復調部３２２と、ＴＳパケットのうち映像・音声パケットから音声信号を復号してスピーカ１６に出力するとともに、映像信号を復号して表示部７に出力するデコーダ３２３等を備えて構成されている。
【００５５】
映像信号処理装置５００は、ローパスフィルタ５１０と、第一圧縮処理部５２０とを映像ソース毎に備え、第一圧縮処理部５２０で圧縮された各映像信号を表示部７に出力するように構成されている。
【００５６】
映像信号処理装置５００は、ローパスフィルタ５１０により平滑化された構成画素を所定方向（ローパスフィルタ５１０による平滑化の方向と同方向）に映像ソースに対応した特性で高域強調処理する高域成分強調フィルタ５３０を映像ソース毎に備え、高域成分強調フィルタ５３０により高域強調処理された構成画素を第一圧縮処理部５２０で圧縮するように構成されている。
【００５７】
ローパスフィルタ５１０及び高域成分強調フィルタ５３０は、複数のフィルタ係数で規定されるデジタルフィルタで構成されている。
【００５８】
以下に詳述する。デジタルフィルタは、例えば、図１３（ａ）に示すように、映像ソースから入力したソース信号の１フレームを構成する元画素データのうち、水平方向に配列された任意の元画素とそれに隣接する隣接元画素の３画素単位で、１：−２：１のフィルタ係数Ｋ１´、Ｋ２´、Ｋ３´を掛けて加算した値を別のフィルタ係数Ｋにより決定される係数δ（＝３×Ｋ／１６）で除算する。そして、除算した値に前記任意の元画素を加算することにより新たな画素を生成する処理を実行する。尚、図中「ＦＦ」は、複数画素間での乗算や加算のタイミングを合わせるために画素を保管するレジスタである。
【００５９】
図１３（ａ）のデジタルフィルタにおいて、フィルタ係数Ｋを正の値とするとローパスフィルタ５１０となり、フィルタ係数Ｋを負の値とすると高域成分強調フィルタ５３０となる。図１３（ｂ）に、Ｋの値によって変化する周波数特性を示す。つまり、映像信号処理装置５００は、映像ソース毎に二個のデジタルフィルタを備えており、その一方がＫを正の値にしたローパスフィルタ５１０であり、他方がＫを負の値にした高域成分強調フィルタ５３０である。
【００６０】
尚、上述では、ローパスフィルタ５１０及び高域成分強調フィルタ５３０は、フィルタ係数Ｋを変更することで、複数種類に規定される構成について説明したが、フィルタ係数Ｋの代わりに、または、フィルタ係数Ｋに加えて、フィルタ係数Ｋ１´、Ｋ２´、Ｋ３´を変更することで、複数種類に規定される構成であってもよい。
【００６１】
また、ローパスフィルタ５１０及び高域成分強調フィルタ５３０は、図１３（ａ）に示す構成に限らない。例えば、ローパスフィルタ５１０は、図２０に示すように、映像ソースから入力したソース信号の１フレームを構成する元画素データのうち、水平方向に配列された任意の元画素とそれに隣接する隣接元画素の３画素単位で、１：２：１のフィルタ係数Ｋ１´、Ｋ２´、Ｋ３´を掛けて加算した値を係数δ（＝４）で除算することにより新たな画素を生成する構成であってもよい。
【００６２】
第一圧縮処理部５２０は、図１４（ａ）に示すように、入力された構成画素のうち、偶数配列の画素または奇数配列の画素の何れかの画素群を１フレームに亘って抽出する工程を実行する。尚、第一圧縮処理部５２０による処理は上述した工程に限らない。例えば、図１４（ｂ）に示すように、連続する二画素を一単位として画素群を抽出する工程を実行する構成であってもよいし、図１４（ｃ）に示すように、三種類の画素群を抽出する工程を実行する構成であってもよい。
【００６３】
映像信号処理装置５００は、図１２に示すように、フィルタ係数を映像ソースに対応して可変に設定するフィルタ特性設定部５４０を備えている。フィルタ特性設定部５４０を備えることで、各映像ソースにとって良好なフィルタ係数に設定されたデジタルフィルタを、各映像ソースについて使用することができる。
【００６４】
フィルタ特性設定部５４０は、映像ソースの構成画素と第二圧縮処理部５５０で圧縮された構成画素の周波数特性を差分演算してフレーム単位の差分周波数特性を求める周波数特性算出部５４１と、複数組のローパスフィルタ５１０及び高域成分強調フィルタ５２０を規定するフィルタ係数及び当該フィルタ係数に対応した周波数特性を記憶するフィルタ特性記憶部５４２と、差分周波数特性とフィルタ係数に対応した周波数特性を比較する特性比較部５４３を備え、特性比較部５４３による比較結果に基づいてフィルタ係数を設定するように構成されている。
【００６５】
周波数特性算出部５４１は、ローパスフィルタ５１０及び高域成分強調フィルタ５３０を通す前の映像ソースの構成画素と、前記構成画素を第二圧縮処理部５５０で圧縮した後の圧縮構成画素とを入力して、前記構成画素と前記圧縮構成画素とを全周波数領域、つまり零周波数からサンプリング周波数の二分の一の周波数の領域に渡って差分演算することで、前記構成画素と前記圧縮構成画素の差分周波数特性Ｈ（ｆ）を算出する。算出した差分周波数特性Ｈ（ｆ）の例を図１５（ａ）に示す。
【００６６】
尚、第二圧縮処理部５５０は、第一圧縮処理部５２０と同様、入力された構成画素のうち、偶数配列の画素または奇数配列の画素の何れかの画素群を１フレームに亘って抽出する工程を実行するが、第一圧縮処理部５２０と異なり、ローパスフィルタ５１０を介していないフレーム構成画素を所定方向に圧縮する。
【００６７】
また、周波数特性算出部５４１は、算出した差分周端数特性の利得を正負反転させた逆差分周波数特性１／Ｈ（ｆ）を求める。算出した逆差分周波数特性１／Ｈ（ｆ）の例を図１５（ｂ）に示す。
【００６８】
フィルタ特性記憶部５４２は、例えば、制御部２００のＲＯＭ２３１の所定領域として構成されている。そして、図１６に示すように、フィルタ係数Ｋの値がｍ通りであるローパスフィルタ５１０と、フィルタ係数Ｋの値がｎ通りである高域成分強調フィルタ５３０との組合せ（最大ｍ×ｎ通り）に対応する周波数特性Ｇ（ｆ）（Ｇ１（ｆ）〜Ｇｘ（ｆ）：ｘは、最大でｍ×ｎ）を、以下に詳述する演算によって予め算出しておき、記憶するように構成されている。
【００６９】
周波数特性の算出について詳述する。図１３（ａ）に示されるデジタルフィルタへの入力画素ｘ（ｎ−１）、ｘ（ｎ−２）、及びｘ（ｎ−３）に対する出力画素ｙ（ｎ）は、以下の数１で表わされる。
【数１】
2009204862.tif 000003
【００７０】
数１をフーリエ変換すると、以下の数２で示される周波数特性Ａ（ｋ）が求められる。尚、数２において、Ｎは離散点数で任意の値であり、ｋは０〜Ｎ−１である。
【数２】
2009204862.tif 000004
【００７１】
数２を実部Ｒｅ（ｋ）と虚部Ｉｍ（ｋ）に分けると、実部Ｒｅ（ｋ）は数３で示され、虚部Ｉｍ（ｋ）は数４で示される。
【数３】
2009204862.tif 000005
【数４】
2009204862.tif 000006
【００７２】
数３の実部Ｒｅ（ｋ）と数４の虚部Ｉｍ（ｋ）を、以下で示す数５に代入することで周波数特性Ａ（ｋ）が算出され、算出された周波数特性Ａ（ｋ）を、以下で示す数６に代入することで周波数特性Ａ（ｋ）´が算出される。このとき、フィルタ係数Ｋを正の値とすると、周波数特性Ａ（ｋ）´はローパスフィルタ５１０の周波数特性Ｌ（ｋ）´として算出され、フィルタ係数Ｋを負の値とすると、周波数特性Ａ（ｋ）´は高域成分強調フィルタ５３０の周波数特性Ｈ（ｋ）´として算出される。
【数５】
2009204862.tif 000007
【数６】
2009204862.tif 000008
【００７３】
数７のように周波数特性Ｌ（Ｋ）´及び周波数特性Ｈ（Ｋ）´を加算することで、周波数特性Ｃ（Ｋ）´が算出される。
【数７】
2009204862.tif 000009
【００７４】
そして、フィルタ特性記憶部５４２は、正の値のフィルタ係数Ｋ（つまり、ローパスフィルタ５１０）と負の値のフィルタ係数Ｋ（つまり、高域成分強調フィルタ５３０）の各組合せについて算出された周波数特性Ｃ（Ｋ）´を周波数特性Ｇ（ｆ）（Ｇ１（ｆ）〜Ｇｘ（ｆ））として、記憶するのである。
【００７５】
上述の構成によれば、フィルタ特性記憶部５４２は多数の周波数特性を記憶し、フィルタ特性設定部５４０は、その中から各映像ソースにとって最も良好な周波数特性を選択することができる。つまり、フィルタ特性記憶部５４２に多くの周波数特性が記憶されているほど、フィルタ特性設定部５４０は、より良い周波数特性を選択することができるのである。
【００７６】
特性比較部５４３は、差分周波数特性と逆特性を示す逆差分周波数特性と、各フィルタ係数に対応した周波数特性との周波数毎の差分の総和を算出する。
【００７７】
例えば、特性比較部５４３は、図１７（ａ）に示すように、差分算出部５４３ａと、絶対値算出部５４３ｂと、合計算出部５４３ｃとを備えて構成されている。そして、特性比較部５４３は、図１７（ｂ）に示すように、差分算出部５４３ａにおいて、全周波数領域を所定の周波数単位で所定数（例えばｉ個）に分割した周波数ｆ１〜ｆｉ毎に、逆差分周波数特性１／Ｈ（ｆ）と対応する周波数特性Ｇ（ｆ）との差分ΔＨ１〜ΔＨｉを夫々算出し、絶対値算出部５４３ｂにおいて、全ての差分について絶対値をとり、合計算出部５４３ｃにおいて、全ての絶対値を合計する。特性比較部５４３は、以上の演算を、図１７（ａ）に示すように、全ての周波数特性Ｇ１（ｆ）〜Ｇｘ（ｆ）について実行する。
【００７８】
フィルタ特性設定部５４０は特性比較部５４３で算出された周波数毎の差分の総和が最も小さくなるフィルタ係数Ｋを、ローパスフィルタ５１０及び高域成分強調フィルタ５２０のフィルタ係数に設定する。
【００７９】
以下に詳述する。特性比較部５４３は、最小値抽出部５４３ｄを備えて構成されており、最小値抽出部５４３ｄは、合計算出部５４３ｃから入力された全ての周波数特性Ｇ１（ｆ）〜Ｇｘ（ｆ）についての差分の合計値のうち、最も小さい差分の合計値を抽出する。そして、フィルタ特性設定部５４０は、最小値抽出部５４３ｄで抽出された差分の合計値に相当する周波数特性Ｇ（ｆ）に対応するフィルタ係数Ｋ（正の数）とフィルタ係数Ｋ（負の数）とを夫々、ローパスフィルタ５１０と高域成分強調フィルタ５３０のフィルタ係数Ｋとして設定する。
【００８０】
図１５（ｂ）及び図１６に例示するように、逆差分周波数特性１／Ｈ（ｆ）は、各フィルタ係数Ｋに対応した周波数特性Ｇ（ｆ）と同傾向の特性を示すことから、各フィルタ係数Ｋに対応した周波数特性Ｇ（ｆ）と対比するのに好適である。また、逆差分周波数特性１／Ｈ（ｆ）と各フィルタ係数Ｋに対応した周波数特性Ｇ（ｆ）とを比較するに当たって、周波数毎の差分の総和の大小で比較する方法は、複雑な演算を要することがないことから好適な方法である。
【００８１】
特性比較部５４３は、映像ソースの所定フレーム数単位でフィルタ係数Ｋを更新設定するように構成されている。
【００８２】
以下に詳述する。所定フレーム数は、例えば、３０フレームである。特性比較部５４３は、３０フレームのうちの所定番目のフレーム（例えば、１０番目のフレーム）について、差分算出部５４３ａ、絶対値算出部５４３ｂ、及び合計算出部５４３ｃでの演算を実行する。尚、所定フレーム数は３０フレームに限らず、例えば５フレームや１フレームであってもよい。
【００８３】
３０フレーム分の映像ソースの入力が終了すると、フィルタ特性設定部５４０は、特性比較部５４３で１０番目のフレームについて算出された周波数毎の差分の総和が最も小さくなるフィルタ係数Ｋを、新たなフィルタ係数Ｋとしてローパスフィルタ５１０と高域成分強調フィルタ５３０に設定する。そして、次のフレームから３０フレームの間、ローパスフィルタ５１０と高域成分強調フィルタ５３０のフィルタ係数Ｋは、夫々新たなフィルタ係数Ｋに維持されて更新されることはない。
【００８４】
尚、特性比較部５４３は、３０フレームのうちの全てのフレームについて、差分算出部５４３ａでの演算を実行して、３０フレーム分の差分の平均、最大値、または最小値等を算出し、算出した差分に基づいて絶対値算出部５４３ｂ及び合計算出部５４３ｃでの演算を実行する構成であってもよい。
【００８５】
また、特性比較部５４３は、１フレーム毎ではなく、３０フレームのうちの所定数のフレーム（例えば、５、１０、１５、２０、２５、及び３０番目の６フレーム）について、差分算出部５４３ａでの演算を実行して、６フレーム分の差分の平均、最大値、または最小値等を算出し、算出した差分に基づいて絶対値算出部５４３ｂ及び合計算出部５４３ｃでの演算を実行する構成であってもよい。
【００８６】
上述の構成によれば、映像信号処理装置５００は、連続して入力される映像ソースからの信号に対して、表示部７に表示される映像を見る者にとって見易い映像に維持するように、フィルタ係数を自動調整できる。
【００８７】
以上説明したとおり、本発明による映像信号処理方法は、フレーム構成画素を所定方向に平滑化するローパスフィルタ処理と、前記ローパスフィルタ処理により平滑化された構成画素を前記所定方向に圧縮する圧縮処理を映像ソース毎に実行し、前記圧縮処理で圧縮された各映像信号を、異なる視方向に異なる映像ソースに対応した映像を同一画面に表示可能な表示部７に出力する映像信号処理方法であって、前記ローパスフィルタ処理により平滑化された構成画素を前記所定方向に前記映像ソースに対応した特性で高域強調処理する高域成分強調フィルタ処理を映像ソース毎に実行し、前記高域成分強調フィルタ処理により高域強調処理された構成画素を前記圧縮処理で圧縮する方法である。
【００８８】
また、本発明による映像信号処理方法は、前記ローパスフィルタ処理及び前記高域成分強調フィルタ処理が複数のフィルタ係数Ｋで規定されるデジタルフィルタ５１０、５３０で実行され、前記フィルタ係数Ｋを前記映像ソースに対応して可変に設定するフィルタ特性設定処理を備えている方法である。
【００８９】
以下、別実施形態について説明する。上述の実施形態では、特性比較部５４３は、逆差分周波数特性と、各フィルタ係数に対応した周波数特性との周波数毎の差分の総和を算出する構成について説明したが、特性比較部５４３は逆差分周波数特性と、各フィルタ係数に対応した周波数特性との周波数毎の差分を算出し、当該差分を映像ソースに関連付けた所定帯域で所定の重み係数で重み付けした後にその総和を算出する構成であってもよい。
【００９０】
以下に詳述する。本構成の場合、特性比較部５４３は、図１８に示すように、絶対値算出部５４３ｂの後段に重み付け演算部５４３ｅを備えている。
【００９１】
重み付け演算部５４３ｅは、例えば、増幅器等を備えて構成されており、絶対値算出部５４３ｂから出力されてきた所定の周波数領域（例えば、高域）の差分ΔＨ１〜ΔＨｉは増幅し、その他の周波数領域（例えば、中域及び低域）の差分ΔＨ１〜ΔＨｉは増幅しないことで、所定の周波数領域の差分ΔＨ１〜ΔＨｉが他の周波数領域の差分ΔＨ１〜ΔＨｉに比べて大きく算出される。
【００９２】
これによって、例えば、高域に対する重みを大きくしている場合、高域での差分が他の周波数領域での差分よりも、合計算出部５４３ｃで算出される合計値に与える影響が大きくなる。
【００９３】
上述の構成によれば、全周波数領域で重点を置きたい帯域が映像ソース毎で異なる場合に、映像ソース毎に異なる帯域に対する重みを大きくすることができる。例えば、中低域での出力よりも高域での出力を正確にしたいナビゲーション装置のマップ情報では高域に対する重みを大きくし、高域での出力よりも中低域での出力を正確にしたい映画等の映像情報では中低域に対する重みを大きくすることで、映像ソースの種類によってより最適なローパスフィルタ５１０及び高域成分強調フィルタ５３０の組合せを選択することができる。
【００９４】
上述の実施形態では、フィルタ特性記憶部５４２は、複数組のローパスフィルタ５１０及び高域成分強調フィルタ５２０を規定するフィルタ係数及び当該フィルタ係数に対応した周波数特性を記憶する構成について説明したが、複数の基準映像ソースに対応した複数組のローパスフィルタ５１０及び高域成分強調フィルタ５２０を規定するフィルタ係数及び当該フィルタ係数に対応した周波数特性を記憶する構成であってもよい。
【００９５】
以下に詳述する。本構成では、事前に、複数の基準映像ソースの各々を映像信号処理装置５００に入力させ、周波数特性算出部５４１で算出した各基準映像ソースの構成画素に基づく逆差分周波数特性とフィルタ係数の異なる複数組のローパスフィルタ５１０及び高域成分強調フィルタ５３０とを、特性比較部５４３にて比較する。そして、その比較結果に基づいて決定されたフィルタ係数に基づいて、上述の数１から数７で算出される周波数特性Ｆ（ｆ）（Ｆ１（ｆ）〜Ｆｙ（ｆ）：ｙは、基準映像ソースの種類数）を、当該基準映像ソースと対応づけてフィルタ特性記憶部５４２に記憶しておく。
【００９６】
ここで、各基準映像ソースは、以下に例示するように分類されている。即ち、ナビゲーション装置、ＤＶＤ再生機、テレビ受信機といった映像ソースの出力元装置の種類での分類、または、ある映像ソースにおける内容の種類（例えば、映画等における字幕有と字幕無や、スポーツ番組、教育番組、ドラマといった番組プログラムの種類）での分類等である。
【００９７】
上述の構成によれば、フィルタ特性記憶部５４２は、基準映像ソースの種類数だけの周波数特性を記憶すればよく、基準映像ソースの種類数よりも多いフィルタ係数の組合せの種類数の周波数特性を記憶する必要がない。
【００９８】
上述の実施形態では、フィルタ特性設定部５４０は特性比較部５４３で算出された周波数毎の差分の総和が最も小さくなるフィルタ係数を、ローパスフィルタ５１０及び高域成分強調フィルタ５２０のフィルタ係数に設定する構成について説明したが、フィルタ特性記憶部５４２が、複数の基準映像ソースに対応したフィルタ係数及び当該フィルタ係数に対応した周波数特性を記憶する構成である場合、フィルタ特性設定部５４０は特性比較部５４３で算出された周波数毎の差分の総和が所定の閾値より小さくなるフィルタ係数を、ローパスフィルタ５１０及び高域成分強調フィルタ５３０のフィルタ係数に設定する構成であってもよい。
【００９９】
以下に詳述する。上述の実施形態のフィルタ特性設定部５４０は、図１７（ａ）に示すように、フィルタ特性記憶部５４２に記憶されているローパスフィルタ５１０及び高域成分強調フィルタ５３０のフィルタ係数に対応する周波数特性Ｇ１（ｆ）〜Ｇｘ（ｆ）毎に備えられた合計算出部５４３ｃの合計値を全て入力して最小の合計値を抽出する一つの最小値抽出部５４３ｄを備えている。
【０１００】
一方、本構成のフィルタ特性設定部５４０は、図１９に示すように、フィルタ特性記憶部５４２に記憶されている基準映像ソース毎に設定されたローパスフィルタ５１０及び高域成分強調フィルタ５３０のフィルタ係数に対応する周波数特性Ｆ１（ｆ）〜Ｆｙ（ｆ）毎に備えられた合計算出部５４３ｃの合計値を所定の閾値と比較する差分比較部５４３ｆを、当該周波数特性Ｆ１（ｆ）〜Ｆｙ（ｆ毎に備えている。
【０１０１】
フィルタ特性設定部５４０は、入力映像ソースと同種類の基準映像ソースについて設定されたローパスフィルタ５１０及び高域成分強調フィルタ５３０のフィルタ係数に対応する周波数特性Ｆ（ｆ）と、当該入力映像ソースの構成画素に基づいて算出した逆差分周波数特性との差分の合計値を、当該周波数特性Ｆ（ｆ）に対応する合計算出部５４３ｃにて算出し、差分比較部５４３ｆにて所定の閾値と比較する。その結果、当該合計値が所定の閾値よりも小さい場合は、当該周波数特性Ｆ（ｆ）に対応するフィルタ係数を、ローパスフィルタ５１０及び高域成分強調フィルタ５３０のフィルタ係数として設定する。この方法を、以下、方法Ａと記す。
【０１０２】
本方法では、特定の合計算出部５４３ｃにおいて合計値を算出すればよく、図１７（ａ）で説明した方法のように全ての合計算出部５４３ｃで合計値を算出する必要がない。
【０１０３】
一方、当該合計値が所定の閾値よりも大きい場合は、他の周波数特性Ｆ（ｆ）の何れかに対応するフィルタ係数を、ローパスフィルタ５１０及び高域成分強調フィルタ５３０のフィルタ係数として設定するが、他の周波数特性Ｆ（ｆ）の何れかに対応するフィルタ係数の選択方法としては、例えば、以下のような方法がある。
【０１０４】
つまり、フィルタ特性設定部５４０は、他の周波数特性Ｆ（ｆ）の各々と、当該入力映像ソースの構成画素に基づいて算出した逆差分周波数特性との差分の合計値を、他の周波数特性Ｆ（ｆ）の各々に対応する合計算出部５４３ｃにて算出し、各差分比較部５４３ｆにて所定の閾値と比較した結果、所定の閾値と比べて最も小さい合計値である周波数特性Ｆ（ｆ）に対応するフィルタ係数を、ローパスフィルタ５１０及び高域成分強調フィルタ５３０のフィルタ係数として設定する。
【０１０５】
または、別の方法として、予め映像ソースの種類毎に、使用する周波数特性Ｆ（ｆ）の優先順位を設定しておき、第一優先順位の周波数特性Ｆ（ｆ）において当該合計値が所定の閾値よりも大きくなった場合に、第二優先順位の周波数特性Ｆ（ｆ）に対応するフィルタ係数を、ローパスフィルタ５１０及び高域成分強調フィルタ５３０のフィルタ係数として設定する方法であってもよい。これらの方法を、以下、方法Ｂと記す。
【０１０６】
特性比較部５４３は、比較結果が所定の閾値を逸脱したときにフィルタ係数を更新設定するように構成されている。
【０１０７】
例えば、あるフィルタ係数が、方法Ａによって、ローパスフィルタ５１０及び高域成分強調フィルタ５３０のフィルタ係数として設定されている状態で、差分比較部５４３において、合計算出部５４３ｃで算出された合計値が所定の閾値よりも大きくなると、フィルタ特性設定部５４０は、新たなフィルタ係数を方法Ｂによって設定する。逆に、あるフィルタ係数が、方法Ｂによって、ローパスフィルタ５１０及び高域成分強調フィルタ５３０のフィルタ係数として設定されている状態で、差分比較部５４３において、合計算出部５４３ｃで算出された合計値が所定の閾値よりも大きくなると、フィルタ特性設定部５４０は、新たなフィルタ係数を方法Ａまたは方法Ｂによって設定する。
【０１０８】
上述の構成によっても、上述の実施形態と同様に、映像信号処理装置５００は、連続して入力される映像ソースからの信号に対して、表示部７に表示される映像を見る者にとって見易い映像に維持するように、フィルタ係数を自動調整できる。
【０１０９】
尚、フィルタ特性記憶部５４２が、複数の基準映像ソースに対応したフィルタ係数及び当該フィルタ係数に対応した周波数特性を記憶する構成の場合でも、特性比較部５４３は、差分比較部５４３ｆではなく最小値抽出部５４３ｄを備えた構成であってもよい。逆に、複数組のローパスフィルタ５１０及び高域成分強調フィルタ５２０を規定するフィルタ係数及び当該フィルタ係数に対応した周波数特性を記憶する構成の場合でも、特性比較部５４３は、最小値抽出部５４３ｄではなく差分比較部５４３ｆを備えた構成であってもよい。
【０１１０】
以上説明した構成の場合であっても、特性比較部５４３は重み付け演算を行なう構成であってもよい。つまり、特性比較部５４３は逆差分周波数特性と、各フィルタ係数に対応した周波数特性との周波数毎の差分を算出し、当該差分を映像ソースに関連付けた所定帯域で所定の重み係数で重み付けした後にその総和を算出し、フィルタ特性設定部５４０は特性比較部５４３で算出された周波数毎の差分の総和が所定の閾値より小さくなるフィルタ係数を、ローパスフィルタ５１０及び高域成分強調フィルタ５３０のフィルタ係数に設定する構成であってもよい。
【０１１１】
上述の実施形態では、何れも圧縮方向が水平方向のものを説明したが、これに限定されるものではなく、縦方向に圧縮されるものであっても同様の処理が可能である。先の実施形態では、図１４（ａ）、（ｂ）で説明したように、圧縮率が５０％に設定されたものを説明したが、圧縮率も同様にこの値に限定されるものではなく、図１４（ｃ）で説明したように、適宜設定された圧縮率に対して適用できるものである。
【０１１２】
上述の実施形態で示した夫々の装置及び方法は本発明の作用効果をそうする限りにおいて適宜組み合わせて実現することができる。また、個々の具体的回路構成は公知の技術を用いて適宜構成されるものである。
【０１１３】
尚、上述した実施形態では、表示部７を二方向のマルチビューとしたが、その他、三方向や四方向等複数の方向のマルチビューとして適用することも可能である。その場合、画素群としてはその方向の数だけ分散配置されることになる。
【図面の簡単な説明】
【０１１４】
【図１】本発明に係る表示装置の概念図
【図２】表示装置の搭載例を示す斜視図
【図３】表示部の断面構造の概略図
【図４】表示パネルを正面から見た構造の概略図
【図５】二系統の映像信号から表示部に表示される映像信号の生成手順を示す説明図
【図６】ＴＦＴ基板の概略を示す回路図
【図７】本発明に係る表示装置の概略を示すブロック図
【図８】画像出力部２１１の概略を示すブロック図
【図９】制御部２００の概略を示すブロック図
【図１０】メモリ２１８の概略を示すブロック図
【図１１】本発明による表示装置のブロック図
【図１２】本発明による映像信号処理装置のブロック図
【図１３】（ａ）は、デジタルフィルタのブロック構成を示し、（ｂ）は、デジタルフィルタの周波数特性を示す説明図
【図１４】（ａ）は、奇数または偶数配列画素の抽出を示し、（ｂ）は、連続する二画素の抽出を示し、（ｃ）は、三種類の画素群の抽出を示す圧縮処理部による画素抽出工程の説明図
【図１５】（ａ）は、差分周波数特性を示し、（ｂ）は、逆差分周波数特性を示す説明図
【図１６】フィルタ特性記憶部によるフィルタ係数及び周波数特性の記憶についての説明図
【図１７】（ａ）は、特性比較部のブロック構成を示し、（ｂ）は、差分算出部による差分の算出について示す説明図
【図１８】重み付け演算部を備えた特性比較部のブロック図
【図１９】差分比較部を備えた特性比較部のブロック図
【図２０】ローパスフィルタのブロック図
【符号の説明】
【０１１５】
７：表示部
５００：映像信号処理装置
５１０：ローパスフィルタ
５２０：第一圧縮処理部
５３０：高域成分強調フィルタ
５４０：フィルタ特性設定部
５５０：第二圧縮処理部
５４１：周波数特性算出部
５４２：フィルタ特性記憶部
５４３：特性比較部
【図１】
2009204862.tif 000010
【図２】
2009204862.tif 000011
【図３】
2009204862.tif 000012
【図４】
2009204862.tif 000013
【図５】
2009204862.tif 000014
【図６】
2009204862.tif 000015
【図７】
2009204862.tif 000016
【図８】
2009204862.tif 000017
【図９】
2009204862.tif 000018
【図１０】
2009204862.tif 000019
【図１１】
2009204862.tif 000020
【図１２】
2009204862.tif 000021
【図１３】
2009204862.tif 000022
【図１４】
2009204862.tif 000023
【図１５】
2009204862.tif 000024
【図１６】
2009204862.tif 000025
【図１７】
2009204862.tif 000026
【図１８】
2009204862.tif 000027
【図１９】
2009204862.tif 000028
【図２０】
2009204862.tif 000029